(57)【特許請求の範囲】
【請求項１】
前後方向に対し線対称位置にある２本の親骨にそれぞれ連結された第１の支持骨の組と、
前後方向に対し線対称位置にありかつ前記第１の支持骨が連結された親骨以外の親骨に一端が連結された第２の支持骨の組と、
傘を開いた状態において前記第１、第２の支持骨が交差するよう前記第１、第２の支持骨を連結する連結部材の組と、
傘を開いた状態を保持可能な下ろくろおよび受骨と、を備え、
傘を開いた状態において、前記第１の支持骨の下端同士を連結させるとともに、前記交差する第１の支持骨と第２の支持骨との間に、使用者の肩を位置させて使用することを特徴とする傘。
【請求項２】
前記連結部材が、第１の支持骨上を摺動可能なスライダによって構成されて、
前記第１、第２の支持骨の連結を解かずに、傘を閉じることが可能な請求項１の傘。
【請求項３】
さらに、一端が、前後方向に対し線対称位置にありかつ前記第１、第２の支持骨が連結された親骨以外の親骨に連結され、他端が、前記スライダに連結された第３の支持骨の組を備える請求項２の傘。
【請求項４】
前記連結部材より下方の前記第１の支持骨と前記第２の支持骨との間に、使用者の肩を載せる肩当て部材の組を配設するとともに、
前記各肩当て部材に使用者の肩を固定するベルト部材を備えた請求項１から３いずれか一の傘。
【請求項５】
上ろくろが中空構造となっており、
前記中空の上ろくろに石突きを挿入した開傘状態から、前記石突きが取り付けられた下ろくろを下方に移動させて傘を閉じることが可能であり、
複数の受骨にそれぞれ連結された補助骨群によって支持され、傘の開閉に伴う前記石突きの移動をガイドする第３のろくろを備えた請求項１から４いずれか一の傘。
【請求項６】
開傘状態を保持する上はじきまたはストッパーが配置され、開傘状態において前記上はじきまたは前記ストッパーより下方の軸部を折り畳みまたは取り外し可能な中棒を備えた請求項１から４いずれか一の傘。
【請求項７】
軸部を折り畳みまたは取り外し可能な中棒を備えた傘の支持装置であって、
前後方向に対し線対称位置にある２本の親骨にそれぞれ連結可能な第１の支持骨の組と、
前後方向に対し線対称位置にありかつ前記第１の支持骨が連結された親骨以外の親骨に一端を連結可能な第２の支持骨の組と、
傘を開いた状態において前記第１、第２の支持骨が交差するよう前記第１、第２の支持骨を連結する連結部材の組と、
前記連結部材より下方の前記第１の支持骨と前記第２の支持骨との間に配設され、使用者の肩を載せる肩当て部材の組と、
前記各肩当て部材に使用者の肩を固定するベルト部材と、を備え、
前記各支持骨を前記傘の親骨に装着し、前記中棒の軸部を折り畳みまたは取り外しかつ傘を開いた状態で、前記第１の支持骨の下端同士を連結させるとともに、前記肩当て部材およびベルト部材を用いて使用者の肩に、前記傘を固定する傘の支持装置。
【発明の詳細な説明】
【技術分野】
【０００１】
［関連出願の記載］
本発明は、日本国特許出願：特願２０１０−１８１５４３号（２０１０年８月１６日出願）の優先権主張に基づくものであり、同出願の全記載内容は引用をもって本書に組み込み記載されているものとする。
本発明は、傘および傘の支持装置に関し、特に、傘使用者の両手を自由にできるようにした傘に関する。
【背景技術】
【０００２】
傘をさしながら両手で作業をしたいときや、自転車に乗るときやベビーカーを押す際に手がふさがれる不便を解消するため、従来より、装着器具を用いて身体や自転車等に装着可能とした傘や傘の支持用具が各種提案されている。このうちの、傘使用時に、傘の中心に使用者が位置できるようにした傘に関して、以下の特許文献が挙げられる。【０００３】
例えば、特開２０１０−５３５５号公報や特開２０００−１３９５３３号公報には、左右に二股状に開くことのできる中軸（中棒）を有し、身体に装着できるようにした傘が開示されている。【０００４】
また、特開２００３−３１０３２０号公報には、交叉しない２本の軸（中棒）を備え、使用者の両肩に装着できるようにした傘が紹介されている。【０００５】
さらに特開２００７−５４１０５号公報には、本出願人による、傘を開いた状態で、傘生地とは独立した第２の親骨が脚状に保持されるよう、第２の親骨と下ろくろ（ランナー）とを接続する第２の受骨と、を備えた傘が開示されている。
【先行技術文献】
【特許文献】
【０００６】
【特許文献１】特開２０１０−５３５５号公報
【特許文献２】特開２０００−１３９５３３号公報
【特許文献３】特開２００３−３１０３２０号公報
【特許文献４】特開２００７−５４１０５号公報
【発明の概要】
【発明が解決しようとする課題】
【０００７】
なお、上記特許文献１〜４の全開示内容はその引用をもって本書に繰込み記載する。以下の分析は、本発明によって与えられたものである。
この点は、使用者の身体等に装着する形式の傘においては、傘本体の重量のみならず、重心を下げることが重要となるが、特許文献１、２の構成は、中棒を左右に開いて使用する構成であるため、中棒やヒンジ（屈曲箇所）等に前後方向からの風に耐えうるような構造を採用しなければならず、傘自体の重量がかさんでしまう上、傘の重心が高くなってしまうという問題点がある。【０００８】
同様に、特許文献３の傘も、２つの傘を連結したような特殊な構成であり、収納性や重量面での不利があり、持ち運びも不便である。【０００９】
特許文献４の傘は、上記各公報記載の傘に対する本出願人の改良案であるが、同公報の図３のように中棒を曲げて使用するものであるため、重心が高くなってしまう。【００１０】
また、左右に１対の中棒とバンド（ベルト）を用いて傘使用者の身体に装着する構成では、傘本体の重量や横風による力が作用して傘がずれてしまうため、バンド（ベルト）を強く締めなければ安定的な装着が困難である。そこで、特許文献１の図２、特許文献２の図１３、図２３、特許文献３の図１のように、傘使用者の肩と腹に２本のベルトを巻いて使用することが考えられるが、中棒（中軸）の長さを長くしなければならないという問題点がある。【００１１】
本発明は、上記した事情に鑑みてなされたものであって、その目的とするところは、使用者の身体等に装着可能とするとともに、その際の傘の安定性を向上できる構成を提供することにある。
【課題を解決するための手段】
【００１２】
本発明の第１の視点によれば、前後方向に対し線対称位置にある２本の親骨にそれぞれ連結された第１の支持骨の組と、前後方向に対し線対称位置にありかつ前記第１の支持骨が連結された親骨以外の親骨に一端が連結された第２の支持骨の組と、傘を開いた状態において前記第１、第２の支持骨が交差するよう前記第１、第２の支持骨を連結する連結部材の組と、傘を開いた状態を保持可能な下ろくろおよび受骨と、を備え、傘を開いた状態において、前記第１の支持骨の下端同士を連結させるとともに、前記交差する第１の支持骨と第２の支持骨との間に、使用者の肩を位置させて使用する傘が提供される。【００１３】
本発明の第２の視点によれば、軸部を折り畳みまたは取り外し可能な中棒を備えた傘の支持装置であって、前後方向に対し線対称位置にある２本の親骨にそれぞれ連結可能な第１の支持骨の組と、前後方向に対し線対称位置にありかつ前記第１の支持骨が連結された親骨以外の親骨に一端を連結可能な第２の支持骨の組と、傘を開いた状態において前記第１、第２の支持骨が交差するよう前記第１、第２の支持骨を連結する連結部材の組と、前記連結部材より下方の前記第１の支持骨と前記第２の支持骨との間に配設され、使用者の肩を載せる肩当て部材の組と、前記各肩当て部材に使用者の肩を固定するベルト部材と、を備え、前記各支持骨を前記傘の親骨に装着し、前記中棒の軸部を折り畳みまたは取り外しかつ傘を開いた状態で、前記第１の支持骨の下端同士を連結させるとともに、前記肩当て部材およびベルト部材を用いて使用者の肩に、前記傘を固定する傘の支持装置が提供される。
【発明の効果】
【００１４】
本発明によれば、安定性・使い勝手の良好なハンズフリー型の傘が得られる。その理由は、親骨を頂辺とし第１の支持骨の下端同士を連結させたトラス構造と、傘生地を頂辺とし交差する第１、第２の支持骨による１対のトラス構造により傘を支持する構成を採用したことにある。また、本発明に係る傘は、従来の左右１対の中棒（中軸）とバンド（ベルト）を使って身体に装着する形態に比べ、ベルトによる締め付けを軽減することが可能であり、また、傘使用者の肩と腹の２点で固定する必要もないため、快適に使用することができる。
【図面の簡単な説明】
【００１５】
【図１】本発明の一実施形態に係る傘を開いた状態の構成を示す斜視図である。
【図２】本発明の一実施形態に係る傘の傘生地等を省略した正面図である。
【図３】本発明の一実施形態に係る傘の傘生地等を省略した側面図である。
【図４】本発明の一実施形態に係る傘の使用状態を説明するための側面図である。
【図５】本発明の一実施形態に係る傘の使用状態を説明するための正面図である。
【図６】本発明の一実施形態に係る傘の開閉過程を説明するため傘生地、受骨等を省略した側面図である。
【図７】図６の続図である。
【図８】本発明の一実施形態に係る傘の開閉過程を説明するため傘生地、第１、第２の支持骨等を省略した正面図である。
【図９】図８の続図である。
【図１０】本発明に係る傘の変形実施形態を表わした側面図である。
【発明を実施するための形態】
【００１６】
はじめに本発明の一実施形態の概要を説明する。本発明に係る傘１は、図１に示すように、傘の前後方向（図４、図５の矢線参照。図１の例では、親骨が８本の傘であるため、親骨１０ｇが前、親骨１０ｈが後ろとなる。）に対し線対称位置にある２本の親骨１０ａ、１０ｂにそれぞれ連結された第１の支持骨２１の組と、前後方向に対し線対称位置にありかつ前記第１の支持骨が連結された親骨以外の親骨１０ｃ、１０ｄに一端が連結された第２の支持骨２２の組と、傘を開いた状態において前記第１、第２の支持骨が交差するよう前記第１、第２の支持骨を連結する連結部材３０の組と、傘を開いた状態を保持可能な下ろくろ５２および受骨１２と、を備えて構成される。そして、傘を開いた状態において、本発明に係る傘は、前記第１の支持骨２１の下端同士を連結させるとともに、前記交差する第１の支持骨２１と第２の支持骨２２との間に、使用者の肩を位置させて使用する。なお、この概要に付記した図面参照符号は、理解を助けるための一例として各要素に便宜上付記したものであり、本発明を図示の態様に限定することを意図するものではない。
【００１７】
上記構成によれば、傘を開いた状態で、親骨１０ａ−上ろくろ−親骨１０ｂを頂辺とし第１の支持骨２１の下端同士を連結させたトラス構造と、傘生地を頂辺とし交差する第１、第２の支持骨による１対のトラス構造とにて傘を支持することができる。このため、傘全体の重量を増大させたり、重心を高くさせたりせずに、安定して傘を支持できる構成が得られる。
【００１８】
なお、図１の例では、前記交差する第１の支持骨２１と第２の支持骨２２との間に肩当て部材４１が取り付けられ、第２の支持骨２２の端部に取り付けられたベルト部材４２を使用者の脇の下を通して第１の支持骨２１に繋止することで、肩当て部材４１に使用者の肩を固定することが可能となっている（図４参照）。
【００１９】
［第１の実施形態］
続いて、本発明の第１の実施形態について図面を参照して詳細に説明する。図２は、本発明の一実施形態に係る傘の傘生地等を省略した正面図である。以下の説明では、図１のように８本の親骨を持つ傘を例に挙げるが、本発明は、その他の本数の親骨を持つ傘にも適用可能である。
【００２０】
図２を参照すると、傘の複数の親骨のうち、傘の前後方向（図２の手前側が前、図２の奥側が後ろ）を対称線（石突き５０と下ろくろ５２の中心を結んだ鉛直方向の仮想線に対し直交する傘の前後方向の線；図４の下端の両矢線参照）とする線対称位置にある親骨１０ａ、１０ｂに取り付けられた第１の支持骨２１の組と、同じく前後方向に対し線対称位置にありかつ前記第１の支持骨２１が連結された親骨以外の親骨１０ｃ、１０ｄに連結された第２の支持骨２２の組と、第１、第２の支持骨を連結する連結部材（スライダ）３０とによって構成された傘の支持構造が示されている。
【００２１】
第１の支持骨２１の一端は、親骨１０ａ、１０ｂの上ろくろ５１と受骨１２との連結部との間に、少なくとも傘の径方向に回動自在に連結され、他端（図の下端）は、もう一つの第１の支持骨２１と連結されている。以上により、親骨１０−上ろくろ５１−親骨１０を頂辺とし第１の支持骨２１の下端同士を連結させたトラス構造が形成される。また、第１の支持骨２１の下端には、ベルト部材４２の先端の繋止部材に適合する被繋止部材が取り付けられている。
【００２２】
連結部材３０は、第１の支持骨２１の外径に適合する中空の筒状部材によって構成され、第１の支持骨２１上を摺動可能となっている。また、各連結部材３０の外側には、第２の支持骨２２がビス等を介して回動自在に連結されている。
【００２３】
第２の支持骨２２の一端は、親骨１０ｃ、１０ｄの受骨１２との連結部に連結され、他端は、固定用のベルト部材４２が取り付けられている。第２の支持骨２２は、前記各端部の中間付近で連結部材３０に連結されている。
【００２４】
また、上述のように、連結部材３０を交点として交差する第１の支持骨２１と第２の支持骨２２の下端部分には、使用者の肩に載せるための肩当て部材４１にが設けられている。この肩当て部材４１は、後記のように傘を畳んだ際に邪魔にならぬよう、布などの柔軟性のある素材で構成されていることが望ましい。もちろん、快適に仕様できるよう、必要に応じて追加の肩当て等を取り付けて使用することも可能である。
【００２５】
また、本実施形態に係る傘は、上ろくろ５１が石突きカバーを兼ね、中空となっており、図２の傘を完全に開いた状態においては、下ろくろ５２に取り付けられた石突き５０が第３のろくろ（後に詳述。）を貫通し、上ろくろ５１に挿入された状態となっている。また、この位置まで下ろくろ５２を移動させると、親骨が閉じようとする力が、受骨１２を介して下ろくろ５２を上方に押し上げるため、傘を開いた状態が保持される。
【００２６】
また、本実施形態に係る傘は、上記石突き５０を下方に引き抜いて傘を畳む構成となっているため、下方に引き抜いた石突き５０の再挿入をガイドする第３のろくろ５４が、受骨１２に連結された複数の補助骨１３によって支持された構成となっている。
【００２７】
図３は、本発明の一実施形態に係る傘の傘生地等を省略した側面図である。図３を参照すると、図２おいて省略されていた第３の支持骨２３が示されている。
【００２８】
第３の支持骨２３の一端は、傘の前後方向に対し線対称位置にありかつ前記第１、第２の支持骨が連結されていない親骨１０ｅ（１０ｆは図示省略。）の受骨１２との連結部に連結され、他端は、第２の支持骨２２を挟む形で連結部材３０の外側に連結されている。また、親骨１０ｅ（１０ｆ）は、第１の支持骨２１が連結された親骨１０ａ（１０ｂ）を中心として第２の支持骨２２が連結された親骨１０ｃ（１０ｄ）の反対側に位置している。
【００２９】
以上により、図３に示すように、第１の支持骨２１と、第２の支持骨２２とが交差した状態が保持されて、２本の親骨１０ａ（１０ｂ）、１０ｃ（１０ｄ）の間に張られた傘生地を頂辺とするトラス構造が形成される。
【００３０】
さらに本実施形態では、第１の支持骨２１と、第２の支持骨２２との交点にある連結部材３０から第３の支持骨２３が親骨１０ｅ（１０ｆ）に連結され、２本の親骨１０ａ（１０ｂ）、１０ｅ（１０ｆ）間に張られた傘生地を頂辺とするトラス構造が形成される。
【００３１】
図４、図５は、上記傘の使用状態を説明するための側面図および正面図である。図４、図５に示すように、肩当て部材４１を使用者の肩に当接させた状態で、第２の支持骨２２の下端に取り付けられたベルト部材４２を使用者の脇の下をくぐらせて、第１の支持骨２１の下端に繋止することにより、傘本体が使用者の身体に固定される。
【００３２】
傘の使用者は、傘を持つ必要が無くなるため、両手で荷物を持った状態での歩行や各種機器の操作を行ないながらの移動を行うことが可能になる。
【００３３】
続いて、本実施形態に係る傘の収納時の動作について説明する。図６、図７は、上記傘の開閉する過程を説明するための側面図である。なお、図６、図７においては、下ろくろ５２や石突き５０の動きを判りやすくするため、傘生地、第１〜第３の支持骨等を省略している。
【００３４】
図６の破線に示すように、片手で第１の支持骨２１等を持ちながら、下ろくろ５２を引き抜くことで、本実施形態に係る傘は折り畳み過程に遷移する。図６の実線に示すように、下ろくろ５２を下方に移動していくと、石突き５０が上ろくろ５１から抜け、親骨１０ｈ（その他の親骨１０ａ〜１０ｇも同様。）、受骨１２が閉じられていくに従い、受骨１２に連結された補助骨１３が第３のろくろ５４を石突き５０の上方に移動させていく。
【００３５】
図７は、さらに、下ろくろ５２を下方に移動していった状態を示す図である。この状態から、例えば、片手で第１の支持骨２１等を持ちながら、下ろくろ５２を上方に移動させることで、図６の実線の状態に遷移し、さらに、図６の破線の状態に遷移する。このとき、第３のろくろ５４が石突き５０の移動をガイドし、石突き５０を常に上ろくろ５１に向いた姿勢に維持するため、使用者は、確実に上ろくろ５１の中空部に石突き５０の先端部を挿入することができる。
【００３６】
図８、図９は、上記傘の開閉と連動して、上記第１〜第３の支持骨が変化する過程を説明するための側面図である。なお、図８、図９においては、第１〜第３の支持骨の変化を判りやすくするため、傘生地、受骨、下ろくろ等を省略している。
【００３７】
図８は、片手で第１の支持骨２１等を持ちながら、下ろくろ５２および上ろくろ５１を引き抜いて傘を閉じかけた状態を示す図である。第１の支持骨２１は親骨１０ａ（１０ｂ）と回動自在に連結され、第２の支持骨２２、第３の支持骨２３は、それぞれ、親骨１０ｅ（１０ｃ、１０ｄ１０ｆも同様。）および連結部材３０と、回動自在に連結されているため、連結部材３０が第１の支持骨２１上を下方に移動していくに従い、受骨１２と同様の動きで、閉じていく。
【００３８】
図９は、さらに、下ろくろ５２を下方に移動していった状態を示す図である。この状態から、例えば、片手で第１の支持骨２１等を持ちながら、下ろくろ５２を上方に移動させることで、図８の状態に遷移し、さらに、図３の状態に遷移する。
【００３９】
以上のように、本実施形態に係る傘は、一般の傘と同様の動作で開閉することが可能であり、全閉状態においても図７、図９のように、一般の傘と同様の形態となる。
【００４０】
以上、本発明の一実施形態を説明したが、本発明の技術的範囲は、上記した各実施形態に限定されるものではなく、本発明の要旨を逸脱しない範囲で、各種の変形・置換をなしうることが可能であることはいうまでもない。例えば、上記した実施形態では、第１の支持骨２１の下端は予め連結されているものとして説明したが、両者の連結を解くことができるようにしても良い。
【００４１】
例えば、上記した実施形態では、石突き５０が上ろくろ５１を貫通する形態であるものとして説明したが、図１０に示すように、上はじき５５が配置された中棒（中軸）１１を有する傘にも適用することが可能である。この場合、石突き５０ａは上ろくろ５１ａに固定された形態となる。また、中棒（中軸）１１は、図１０に示したように、上はじき５５を配置可能な程度の長さとすることができる。折りたたみ傘と同様に、中棒（中軸）１１を多段のロッドアンテナ状とし、傘を開いたときに使用者の頭部を干渉する部分を収納して使用するものとしたり、中棒（中軸）１１の上はじき５５以下の不要な部分を取り外して使用する形態としてもよい。また、前記上はじき５５は、図２の第３のろくろ５４と、下ろくろ５２との間に配置してもよい。さらには、図２の上ろくろ５１に、石突き５０が抜けるのを防ぐストッパー機構（例えば、上ろくろ５１の中空部分の内側に凹部または凸部を設けるとともに、石突き５０側に、前記凹部または凸部に対応する凸部または凹部を設け、石突き５０または上ろくろ５１の材質の弾性により、石突き５０を保持できるようにした構成や、前記凸部を付勢したピンに置き換えた構成等。）によって構成することもできる。
【００４２】
また、上記した実施形態では、８本の親骨を有する傘を例示して説明したが、その他の本数の親骨を持つ傘にも適用することが可能である。また、上記した実施形態では、前後方向に対して、直交する親骨１０に第１の支持骨２１を連結し、その前後の親骨に第２、第３の支持骨を連結したが、親骨の本数に応じて第１〜第３の支持骨の連結箇所は調節することが可能である。
【００４３】
また、上記した実施形態では、第３の指示骨２３を備えるものとして説明したが、第３の指示骨２３を省略した構成も採用可能である。
【００４４】
また、上記した実施形態では、使用者が後ろに手を回してベルト部材４２をつかみ、第１の指示骨２１に繋止することを想定して、第２の指示骨２２にベルト部材４２を取り付けるものとして説明したが、第１の指示骨２１にベルト部材４２を取り付けて、第２の支持骨２２側で繋止する構成や、第１の指示骨２１、第２の指示骨２２の双方にベルト部材４２を取り付けて、中間部分にバックル等を取り付けて締め付け可能とした構成も採用可能である。
【００４５】
また、上記した実施形態では、連結部材３０が、第１の支持骨２１上を摺動するものとして説明したが、上記構成のほか、第１の支持骨２１上に、連結部材３０を固定した構成も採用可能である。この場合、例えば、連結部材３０に凸状部や繋止手段を設けるとともに、第２、第３の支持骨に前記凸状部や係止手段に適合する凹部や被係止手段を設けて両者を嵌合ないし係合させればよい。
【００４６】
また、上記した実施形態では、第１〜第３の支持骨が予め親骨に連結された傘の例を挙げて説明したが、第１〜第３の支持骨を親骨から着脱できるようにしてもよい。例えば、上記親骨１０の第１〜第３の支持骨の連結箇所に、第１〜第３の支持骨を着脱自在とする継ぎ手などを配設しておき、普段は一般の傘として使用し、必要時に、中軸（中棒）を折り畳みまたは取り外し、上記した実施形態の第１〜第３の支持骨によって構成される傘の支持装置を連結して、ハンズフリー傘として使用する形態も採用可能である。
【００４７】
本発明の全開示（請求の範囲及び図面を含む）の枠内において、さらにその基本的技術思想に基づいて、実施例ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【符号の説明】
【００４８】
１  傘
１０、１０ａ〜１０ｈ  親骨
１１  中棒（中軸）
１２  受骨
１３  補助骨
２１  第１の支持骨
２２  第２の支持骨
２３  第３の支持骨
３０  連結部材（スライダ）
４１  肩当て部材
４２  ベルト部材
５０、５０ａ  石突き
５１、５１ａ  上ろくろ
５２  下ろくろ
５４  第３のろくろ
５５  上はじき（ストッパー）
【図１】
0005453537.tif 000002
【図２】
0005453537.tif 000003
【図３】
0005453537.tif 000004
【図４】
0005453537.tif 000005
【図５】
0005453537.tif 000006
【図６】
0005453537.tif 000007
【図７】
0005453537.tif 000008
【図８】
0005453537.tif 000009
【図９】
0005453537.tif 000010
【図１０】
0005453537.tif 000011